(57)【要約】【課題】  患者が常に電子メール受信可能な場所にいなくとも、患者に対して確実に医薬品の服用時期を通知することができる服薬管理システム等を提供することを目的とする。【解決手段】  電子メール機能を搭載し、医薬品の所定期間における服用指定日時に関する服用スケジュール情報を配信する１以上の情報配信装置２０と、電子メール機能およびスケジューラを搭載した１以上の携帯電話３０と、を有し、これらが通信回線４０を介して接続可能に構成された服薬管理システム１０において、情報配信装置は、服用スケジュール情報、および当該服用スケジュール情報を配信するクライアント装置の配信先情報を入力し、当該配信先情報に基づいて、服用スケジュール情報を配信する。携帯電話は、受信した電子メールから読み出した服用スケジュール情報を解析し、その解析結果に基づいて、少なくとも服用指定日時をスケジューラに登録する。【選択図】  図１
2007026253.tif 000002
【特許請求の範囲】
【請求項１】
電子メール機能を搭載し、医薬品の所定期間における服用指定日時に関する服用スケジュール情報を配信する１以上の情報配信装置と、
電子メール機能およびスケジューラを搭載した１以上のクライアント装置と、を有し、これらが通信回線を介して接続可能に構成された服薬管理システムであって、
前記情報配信装置は、
前記服用スケジュール情報、および当該服用スケジュール情報を配信するクライアント装置の配信先情報を入力するための情報入力手段と、
前記配信先情報に基づいて、前記服用スケジュール情報を、前記クライアント装置に電子メールを用いて配信する電子メール配信手段と、を備え、
前記クライアント装置は、
前記電子メールを受信する電子メール受信手段と、
受信した前記電子メールから読み出した前記服用スケジュール情報を解析し、その解析結果に基づいて、少なくとも前記服用指定日時を前記スケジューラに登録するスケジューラ登録手段と、を備えていることを特徴とする服薬管理システム。
【請求項２】
前記クライアント装置は、
報知部と、
前記スケジューラと協働し、前記スケジューラ登録手段により登録された前記服用指定日時に基づいて、当該服用指定日時および／またはその前後所定時間内に、前記医薬品の服用を促すための報知を行うように前記報知部を制御する報知制御手段と、をさらに備えていることを特徴とする請求項１に記載の服薬管理システム。
【請求項３】
前記服用スケジュール情報は、前記医薬品の名称または医薬品コードに関する所定情報を含み、
前記スケジューラ登録手段は、前記服用スケジュール情報の解析結果に基づいて、前記所定情報を、前記服用指定日時と関連づけて前記スケジューラに登録し、
前記クライアント装置は、
表示部と、
前記報知制御手段による報知制御と連動して、前記所定情報を前記表示部に表示させる表示制御手段と、をさらに備えていることを特徴とする請求項２に記載の服薬管理システム。
【請求項４】
前記服用スケジュール情報は、前記医薬品の用法・用量に関する用法・用量情報を含み、
前記情報配信装置は、
前記情報入力手段により入力された前記服用スケジュール情報を、医薬品毎に前記配信先情報と関連づけて記憶する入力履歴情報記憶部と、
前記情報入力手段により入力された情報と、前記入力履歴情報記憶部に記憶されている情報とを比較し、前記配信先情報、前記所定情報および前記用法・用量情報が一致し、且つ服用すべき前記所定期間のみが異なる情報が前記入力履歴情報記憶部に存在する場合、その医薬品の服用期間の更新を行うための更新情報を生成する更新情報生成手段と、をさらに備え、
前記電子メール配信手段は、前記一致した配信先情報に基づいて、生成した前記更新情報を配信し、
前記スケジューラ登録手段は、前記更新情報を解析し、その解析結果に基づいて、前記スケジューラに登録されている前記医薬品の服用期間を更新することを特徴とする請求項３に記載の服薬管理システム。
【請求項５】
前記クライアント装置は、
前記報知制御手段による報知制御に対する所定のキー操作により、前記医薬品の服用実施の有無を入力するための入力手段と、
前記服用実施の有無に関する入力履歴を、前記服用指定日時、前記所定情報、前記用法・用量情報のうちいずれか１以上または全てと関連づけて、服用履歴として記憶する服用履歴記憶部と、をさらに備え、
前記表示制御手段は、前記服用履歴を前記表示部に表示させることを特徴とする請求項４に記載の服薬管理システム。
【請求項６】
前記服用スケジュール情報は、前記医薬品の形態を示す画像データおよび／または前記医薬品の服用方法を示す動画データを含み、
前記スケジューラ登録手段は、前記服用スケジュール情報の解析結果に基づいて、前記画像データおよび／または前記動画データを、前記服用指定日時および前記所定情報と関連づけて前記スケジューラに登録し、
前記表示制御手段は、前記報知制御手段による報知制御と連動して、若しくは前記画像データおよび／または前記動画データの表示指示に従って、これらのデータを前記表示部に表示させることを特徴とする請求項３、４または５に記載の服薬管理システム。
【請求項７】
前記服用スケジュール情報は、前記医薬品を服用する際の注意事項を含む詳細情報を、所定のＷｅｂサイトから取得するためのＵＲＬを含み、
前記スケジューラ登録手段は、前記服用スケジュール情報の解析結果に基づいて、前記ＵＲＬを、前記服用指定日時および前記所定情報と関連づけて、前記スケジューラに登録し、
前記クライアント装置は、
前記報知制御手段による報知制御と連動して、若しくは前記詳細情報の取得指示に従って、前記ＵＲＬにアクセスし、前記詳細情報を取得する情報取得手段、をさらに備え、
前記表示制御手段は、取得した前記詳細情報を前記表示部に表示させることを特徴とする請求項３ないし６のいずれか１項に記載の服薬管理システム。
【請求項８】
前記クライアント装置は、
前記電子メール受信手段による電子メールの受信に伴って、当該電子メールの認証を行う認証手段、をさらに備え、
前記スケジューラ登録手段は、前記認証手段により前記電子メールが真正と判定された場合に、前記スケジューラへの登録を行うことを特徴とする請求項１ないし７のいずれか１項に記載の服薬管理システム。
【請求項９】
前記情報入力手段により、同一の配信先情報に対し複数の服用スケジュール情報が入力されている場合、
前記電子メール配信手段は、前記同一の配信先情報に基づいて、前記複数の服用スケジュール情報を纏めて配信することを特徴とする請求項１ないし８のいずれか１項に記載の服薬管理システム。
【請求項１０】
電子メール機能を搭載し、医薬品の所定期間における服用日程および服用時間に関する服用スケジュール情報を配信する１以上の情報配信装置と、
電子メール機能およびスケジューラを搭載した１以上のクライアント装置と、を有し、これらが通信回線を介して接続可能に構成された服薬管理システムの制御方法であって、
前記情報配信装置が、前記服用スケジュール情報、および当該服用スケジュール情報を配信するクライアント装置の配信先情報を取得するステップと、
前記情報配信装置が、前記配信先情報に基づいて、前記服用スケジュール情報を、前記クライアント装置に電子メールを用いて配信するステップと、
前記クライアント装置が、受信した前記電子メールから読み出した前記服用スケジュール情報を解析し、その解析結果に基づいて、少なくとも前記服用指定日時を前記スケジューラに登録するステップと、を実行することを特徴とする服薬管理システムの制御方法。
【請求項１１】
コンピュータに、請求項１０に記載の服薬管理システムの制御方法を実行させるためのプログラム。
【発明の詳細な説明】
【技術分野】
【０００１】
本発明は、医薬品の服薬管理を行うための服薬管理システム、服薬管理システムの制御方法およびそのプログラムに関するものである。
【背景技術】
【０００２】
医療機関や調剤薬局から処方された医薬品は、薬袋や処方箋に記載された用法、用量に従って服用される。しかしながら、この指示通りに服用する患者は、現状半数程度に過ぎず、その理由としては「飲み忘れ」が最も多いと云われている。このように、医師の指示通りに服薬を行わないこと（ノンコンプライアンス）により、病気によっては、さらに病状を悪化させ、生命に関わる場合もあるため、ノンコンプライアンスを効果的に防止する方策が望まれている。
【０００３】
そこで、このようなノンコンプライアンスの対策方法の一例として、例えば、特許文献１には、ピルの服用時期などの医療情報を電子メールによって携帯電話等に通知するシステムが開示されている。
【特許文献１】特開２００３−３３１０６１号公報
【発明の開示】
【発明が解決しようとする課題】
【０００４】
ところが、当該システムでは、メール送信可能な範囲に通信相手がいない場合や電源が切断されている場合は、服用時期を通知することができない。ピルの場合は、さほど服用時間が厳密に規定されていないため、数時間おきに複数回メール送信を繰り返すことで対応可能かもしれないが、「朝食前」、「昼食後」など、比較的固定された時間に服用を必要とする医薬品の場合は、問題である。しかも、この服用時期を知らせる電子メールを受信するために、携帯電話を常に電子メール受信可能な状態に保つのは困難である。
【０００５】
本発明は、上記の問題点に鑑み、患者が常に電子メール受信可能な場所にいなくとも、患者に対して確実に医薬品の服用時期を通知することができる服薬管理システム、服薬管理システムの制御方法およびそのプログラムを提供することを目的とする。
【課題を解決するための手段】
【０００６】
本発明の服薬管理システムは、電子メール機能を搭載し、医薬品の所定期間における服用指定日時に関する服用スケジュール情報を配信する１以上の情報配信装置と、電子メール機能およびスケジューラを搭載した１以上のクライアント装置と、を有し、これらが通信回線を介して接続可能に構成された服薬管理システムであって、情報配信装置は、服用スケジュール情報、および当該服用スケジュール情報を配信するクライアント装置の配信先情報を入力するための情報入力手段と、配信先情報に基づいて、服用スケジュール情報を、クライアント装置に電子メールを用いて配信する電子メール配信手段と、を備え、クライアント装置は、電子メールを受信する電子メール受信手段と、受信した電子メールから読み出した服用スケジュール情報を解析し、その解析結果に基づいて、少なくとも服用指定日時をスケジューラに登録するスケジューラ登録手段と、を備えていることを特徴とする。
【０００７】
また、本発明の服薬管理システムの制御方法は、電子メール機能を搭載し、医薬品の所定期間における服用日程および服用時間に関する服用スケジュール情報を配信する１以上の情報配信装置と、電子メール機能およびスケジューラを搭載した１以上のクライアント装置と、を有し、これらが通信回線を介して接続可能に構成された服薬管理システムの制御方法であって、情報配信装置が、服用スケジュール情報、および当該服用スケジュール情報を配信するクライアント装置の配信先情報を取得するステップと、情報配信装置が、配信先情報に基づいて、服用スケジュール情報を、クライアント装置に電子メールを用いて配信するステップと、クライアント装置が、受信した電子メールから読み出した服用スケジュール情報を解析し、その解析結果に基づいて、少なくとも服用指定日時をスケジューラに登録するステップと、を実行することを特徴とする。
【０００８】
これらの構成によれば、医薬品の所定期間における服用指定日時に関する服用スケジュール情報を、電子メールを用いてクライアント装置に配信し、当該クライアント装置は、受信した服用スケジュール情報の解析結果に基づいて、少なくとも服用指定日時をスケジューラに登録するため、一度登録するだけで、スケジューラにより、所定期間（例えば、１回の処方による服用期間）の服薬管理を行うことができる。したがって、患者が常に電子メール受信可能な場所にいなくとも、クライアント装置のそばにいる限り、患者に対して確実に医薬品の服用時期を通知することができると共に、１回だけの配信で良いため配信および受信処理の負担（通信費やパケット料金、並びに処理実行のための負荷等）を軽減することができる。また、服用スケジュール情報を配信する情報配信装置は、複数存在しても良いため、例えば複数の医療機関または調剤薬局に情報配信装置を設置することで、複数の医療機関または調剤薬局から処方を受ける場合であっても、クライアント装置側で一元管理することができる。さらに、情報配信装置は、電子メール機能を搭載するだけの構成で良いため、一般的なパーソナルコンピュータを用いることができ、本システムを安価に構築することができる。
【０００９】
なお、服用スケジュール情報の解析結果をスケジューラに登録した後は、当該スケジューラにより、画面表示、ＬＥＤ表示、音声ガイダンス、電子音（ビープ音）等により、医薬品の服用日程および服用指定日時を患者に対して通知することが前提である。すなわち、スケジューラは、これらのうちいずれかまたは全ての通知機能を搭載しているものである。
【００１０】
上記の服薬管理システムにおいて、クライアント装置は、報知部と、スケジューラと協働し、スケジューラ登録手段により登録された服用指定日時に基づいて、当該服用指定日時および／またはその前後所定時間内に、医薬品の服用を促すための報知を行うように報知部を制御する報知制御手段と、をさらに備えていることが好ましい。
【００１１】
この構成によれば、報知部と、これを制御する報知制御手段を備えているため、これらの機能を有しないスケジューラを用いても、本システムを構築することができる。また、服用指定日時および／またはその前後所定時間内に、患者に対して医薬品の服用を促すための報知を行う（例えば、就寝前に３日間の服薬が指示されている場合、処方開始日から３日間、夜１０時などの所定時間またはその３０分前など前後所定時間内に報知を行う）ため、患者は当該報知があったときに服薬することで、飲み忘れを防止することができる。なお、報知部とは、スピーカ、ＬＥＤ、バイブレータ等を指すものである。
【００１２】
上記の服薬管理システムにおいて、服用スケジュール情報は、医薬品の名称または医薬品コードに関する所定情報を含み、スケジューラ登録手段は、服用スケジュール情報の解析結果に基づいて、所定情報を、服用指定日時と関連づけてスケジューラに登録し、クライアント装置は、表示部と、報知制御手段による報知制御と連動して、所定情報を表示部に表示させる表示制御手段と、をさらに備えていることが好ましい。
【００１３】
この構成によれば、報知制御手段による報知制御と連動して、医薬品の名称または医薬品コードに関する所定情報を表示部に表示させるため、患者は当該所定情報により、自分が服用すべき医薬品を確認することができる。すなわち、一人の患者に対して複数の医薬品が処方されている場合でも、その報知が行われたときに服用すべき医薬品を、間違えることなく服用することができる。
【００１４】
上記の服薬管理システムにおいて、服用スケジュール情報は、医薬品の用法・用量に関する用法・用量情報を含み、情報配信装置は、情報入力手段により入力された服用スケジュール情報を、医薬品毎に配信先情報と関連づけて記憶する入力履歴情報記憶部と、情報入力手段により入力された情報と、入力履歴情報記憶部に記憶されている情報とを比較し、配信先情報、所定情報および用法・用量情報が一致し、且つ服用すべき所定期間のみが異なる情報が入力履歴情報記憶部に存在する場合、その医薬品の服用期間の更新を行うための更新情報を生成する更新情報生成手段と、をさらに備え、電子メール配信手段は、一致した配信先情報に基づいて、生成した更新情報を配信し、スケジューラ登録手段は、更新情報を解析し、その解析結果に基づいて、スケジューラに登録されている医薬品の服用期間を更新することが好ましい。
【００１５】
この構成によれば、入力された服用スケジュール情報を、医薬品毎に配信先情報と関連づけて記憶しておき、後日入力された情報が、記憶しておいた情報に対して服用期間のみ異なるものであった場合、すなわち、同じ内容の処方箋が、同一の患者に対して処方された場合、その医薬品の服用期間の更新（服用期間の延長など）を行うための更新情報をクライアント装置に送信すればよいため、情報配信装置が送信する情報量並びにその送信負荷を軽減することができる。また、クライアント装置側も、スケジュール情報登録（更新）のための制御負荷を軽減することができる。
【００１６】
上記の服薬管理システムにおいて、クライアント装置は、報知制御手段による報知制御に対する所定のキー操作により、医薬品の服用実施の有無を入力するための入力手段と、服用実施の有無に関する入力履歴を、服用指定日時、所定情報、用法・用量情報のうちいずれか１以上または全てと関連づけて、服用履歴として記憶する服用履歴記憶部と、をさらに備え、表示制御手段は、服用履歴を表示部に表示させることが好ましい。
【００１７】
この構成によれば、医薬品の服用実施の有無に関する入力履歴を服用履歴としてクライアント装置内の服用履歴記憶部に記憶しておき、これを表示部に表示させることができるため、服用スケジュールだけでなく、服用履歴についても管理することができる。
【００１８】
上記の服薬管理システムにおいて、服用スケジュール情報は、医薬品の形態を示す画像データおよび／または医薬品の服用方法を示す動画データを含み、スケジューラ登録手段は、服用スケジュール情報の解析結果に基づいて、画像データおよび／または動画データを、服用指定日時および所定情報と関連づけてスケジューラに登録し、表示制御手段は、報知制御手段による報知制御と連動して、若しくは画像データおよび／または動画データの表示指示に従って、これらのデータを表示部に表示させることが好ましい。
【００１９】
この構成によれば、服用指定日時に該当する日時、すなわち医薬品を服用すべきタイミングに、医薬品の形態を示す画像データおよび／または医薬品の服用方法を示す動画データが表示部に表示されるため、患者は当該画像データおよび／または動画データにより、処方された医薬品を間違えることなく、且つ正しく服用することができる。
【００２０】
上記の服薬管理システムにおいて、服用スケジュール情報は、医薬品を服用する際の注意事項を含む詳細情報を、所定のＷｅｂサイトから取得するためのＵＲＬを含み、スケジューラ登録手段は、服用スケジュール情報の解析結果に基づいて、ＵＲＬを、服用指定日時および所定情報と関連づけて、スケジューラに登録し、クライアント装置は、報知制御手段による報知制御と連動して、若しくは詳細情報の取得指示に従って、ＵＲＬにアクセスし、詳細情報を取得する情報取得手段、をさらに備え、表示制御手段は、取得した詳細情報を表示部に表示させることが好ましい。
【００２１】
この構成によれば、服用指定日時に該当する日時、すなわち医薬品を服用すべきタイミングに、医薬品を服用する際の注意事項が表示部に表示されるため、患者はその注意事項を確認した上で、服用することができる。なお、「注意事項」とは、副作用、相互作用（飲み合わせ）、薬理作用等に関する情報を指すものである。また、「詳細情報」としては、医薬品の包装コード、効能、一般名、規格、製造メーカ等に関する情報を含むことが好ましい。
【００２２】
上記の服薬管理システムにおいて、クライアント装置は、電子メール受信手段による電子メールの受信に伴って、当該電子メールの認証を行う認証手段、をさらに備え、スケジューラ登録手段は、認証手段により電子メールが真正と判定された場合に、スケジューラへの登録を行うことが好ましい。
【００２３】
この構成によれば、電子メールの認証を行い、当該電子メールが真正と判定された場合にスケジューラへの登録を行うため、不正な服用スケジュール情報を含む電子メールの受信により不正な服用スケジュール情報が登録されることを防止することができる。
【００２４】
上記の服薬管理システムにおいて、情報入力手段により、同一の配信先情報に対し複数の服用スケジュール情報が入力されている場合、電子メール配信手段は、同一の配信先情報に基づいて、複数の服用スケジュール情報を纏めて配信することが好ましい。
【００２５】
この構成によれば、同一の配信先情報に対し複数の服用スケジュール情報が入力されている場合、これらの服用スケジュール情報を纏めて配信するため、配信回数を少なくすることができる。したがって、電子メールの配信および受信処理の負担（通信費やパケット料金、並びに処理実行のための負荷等）を軽減することができる。
【００２６】
本発明のプログラムは、コンピュータに、上記に記載の服薬管理システムの制御方法を実行させるためのものであることを特徴とする。
【００２７】
このプログラムを実行することにより、患者が常に電子メール受信可能な場所にいなくとも、患者に対して確実に医薬品の服用時期を通知することができる服薬管理システムを実現することができる。
【発明を実施するための最良の形態】
【００２８】
以下、本発明の一実施形態に係る服薬管理システム、服薬管理システムの制御方法およびそのプログラムについて、添付図面を参照しながら詳細に説明する。本発明は、情報配信装置により、医薬品の服用指定日時に関する服用スケジュール情報を配信し、これを患者が保有するクライアント装置のスケジューラに登録することで、当該クライアント装置を用いて服薬管理を行い得るように構成したものである。そこで、医薬品を処方する調剤薬局に情報配信装置（パーソナルコンピュータ等）が導入され、且つクライアント装置として、多くの人が常時携行している携帯電話を用いた場合を例に挙げて説明する。
【００２９】
図１は、本発明の一実施形態に係る服薬管理システム１０のシステム構成図である。同図に示すように、服薬管理システム１０は、患者が服用すべき医薬品名、その用法・用量並びに服用期間等の情報である服用スケジュール情報を配信する１以上の情報配信装置２０ａ，２０ｂ（２台のみ図示）と、当該服用スケジュール情報を受信する１以上の携帯電話３０ａ，３０ｂ（２台のみ図示）と、を有し、これら１以上の情報配信装置２０ａ，２０ｂおよび１以上の携帯電話３０ａ，３０ｂは、インターネット等の通信回線４０によって接続可能に構成されている。
【００３０】
情報配信装置２０は、調剤薬局に設置され、処方箋５１の内容を入力するだけで医療保険の算出を行うレセプト・コンピュータとしても機能する。また、処方箋５１の内容（服用スケジュール情報，図２参照）、並びに患者が服用スケジュール情報の配信サービスを申し込む際の配信申込書５２の内容（配信先情報，図３参照）が入力されることによって、その入力日の受付時間終了時または翌日、申込のあった患者の携帯電話３０に、電子メールを用いてその患者用の服用スケジュール情報を配信する。このため、同一の患者（配信先）に対して、一日に複数の処方箋５１の入力が行われた場合は、その複数の服用スケジュール情報を纏めて電子メール送信データ（図６参照）を生成し、電子メールを配信することとなる。
【００３１】
また、情報配信装置２０には、上記の服薬管理サービスを実現するためのプログラム（情報配信装置用の服薬管理アプリケーション２５）が、メディアドライブ２３（図４参照）によるＣＤ―ＲＯＭ等の記録媒体の読み取り、若しくは所定のＷｅｂサイトからのプログラムダウンロードサービスにより予めインストールされている。
【００３２】
なお、処方箋５１には、図２に示すように、処方箋５１の「作成日」、患者氏名、生年月日、性別等の「患者情報」、医療機関名、処方医師、処方日等の「処方医情報」、医薬品名、用法・用量、服用期間等の「処方薬情報」が記載されており、情報配信装置２０は、これらのうち「処方薬情報」に基づいて、配信用の服用スケジュール情報を生成する。また、配信申込書５２には、図３に示すように、配信申込書５２の「申込日」、配信先を指定するための「申込区分」、患者氏名、生年月日、性別、住所、電話番号、ＰＣおよび携帯電話３０のＥ―ｍａｉｌアドレス等の「配信先情報」が記載されており、情報配信装置２０は、これらのうち「配信先情報」に基づいて、電子メールを配信する。なお、「申込区分」としては、「携帯電話のみ」が指定されたものとして、以下説明する。
【００３３】
情報配信装置２０は、この配信申込書５２の内容を、配信先情報として保存しておき、同一の患者が再度処方箋５１を提出した場合は、この記憶しておいた配信先情報に基づいて配信を行う。つまり、配信申込書５２の提出は、調剤薬局の初回利用時のみで良く、２回目以降は、処方箋５１に記載されている患者情報（患者氏名、生年月日、性別等の情報）と、記憶している患者情報とが一致する配信先に、電子メールが送信されることとなる。
【００３４】
また、処方箋５１の内容については、患者別に入力履歴情報として保存しておき（図５参照）、過去に入力した処方と同一の処方内容の入力が行なわれた場合、その処方（医薬品）については、上記の服用スケジュール情報に代えて、医薬品の服用期間を更新するための更新情報を配信する（図６参照）。なお、入力履歴情報を患者別に区別するため、情報配信装置２０は、配信申込書５２の入力時に患者コードを設定し、配信先情報と関連づけて保存しておく。
【００３５】
なお、調剤薬局と、処方箋５１を作成する医療機関とが提携している場合、処方箋５１にもこの患者コードを記載することが好ましい。この構成によれば、個人情報を保護することができると共に、同姓同名であっても確実に患者を区別することができる。またこの場合、調剤薬局は、医療機関から処方箋５１を電子データとして、通信回線若しくは記録媒体を介して取得し、情報配信装置２０にその内容を自動入力させるようにしても良い。
【００３６】
一方、携帯電話３０も、服薬管理サービスを受けるための（服薬管理システム１０を利用するための）プログラム（携帯電話用の服薬管理アプリケーション）がインストールされている。すなわち、当該プログラムを、携帯電話３０の情報配信サービスによりダウンロードすることによって、服薬管理機能が搭載される。
【００３７】
また、携帯電話３０は、スケジューラ（スケジュール管理機能）を搭載しており、スケジュールの表示・管理、並びに入力されたスケジュールに基づくアラーム報知やＬＥＤ表示を行う。したがって、情報配信装置２０から受信した電子メールを解析し、これに含まれる服用スケジュール情報や更新情報をスケジューラに登録することで、服薬管理機能とスケジューラとの協働により、同図に示すように、携帯電話３０の表示画面３１上に、服薬時間が記載されたカレンダーを表示させることができる。また、同じく服薬管理機能とスケジューラとの協働により、患者に服薬を促すための報知（電子音（アラーム）や振動（バイブレータ））の他、患者に服薬を促すためのメッセージ表示（図９参照）も行い得るようになっている。
【００３８】
次に、図４のブロック図を参照し、情報配信装置２０の制御構成について説明する。同図に示すように、情報配信装置２０は、キーボードやマウス等の入力デバイス（情報入力手段）２１、入力データや処理結果、並びにユーザへの操作指示等を表示するディスプレイ２２、ＣＤ―ＲＯＭなど各種記録媒体の読み込み／書き込みを行うメディアドライブ２３、電子メールの送受信を行うための通信インターフェース２４を備えている。また、情報配信装置２０は、情報配信装置用の服薬管理アプリケーション２５および電子メールアプリケーション（電子メール配信手段）２６が、図示しないハードディスク内にインストールされている。
【００３９】
服薬管理アプリケーション２５は、服用スケジュール情報記憶部２５１、配信先情報記憶部２５２、入力履歴情報記憶部２５３、認証データ記憶部２５４、電子メール送信データ生成手段２５５、医薬品マスタＭ１並びにこれらを統括制御する制御手段２５０を有している。
【００４０】
服用スケジュール情報記憶部２５１は、処方箋５１の内容が入力されることにより、当該処方箋５１（図２参照）に記載されている処方薬情報（「医薬品名」、「用法・用量」、「服用期間」などの情報）を記憶するものである。なお、服用スケジュール情報記憶部２５１への記憶時には（処方箋５１の内容が入力されたときには）、制御手段２５０が医薬品マスタＭ１を参照して、「服用期間」を医薬品毎に薬事法で定められる投薬期間（例えば３０日間）内に設定する。すなわち、制御手段２５０は、薬事法による投薬期間を超えた服用期間が入力された場合はエラー報知を行い、オペレータに対して服用期間の修正を促す。また、「服用期間」として記憶された期間については、その期間の長短に拘わらず、後述する電子メール送信データ生成手段２５５により、１回分の送信データとして生成される。したがって、１ヶ月分の処方が行われている場合でも、電子メールの送信は原則１回限りとなる。
【００４１】
配信先情報記憶部２５２は、配信申込書５２（図３参照）の内容が入力されることにより、当該配信申込書５２に記載されている配信先情報（パーソナルコンピュータや携帯電話３０のＥ―ｍａｉｌアドレス等の情報）を、記憶するものである。上記のとおり、配信申込書５２の入力は、一人の患者に対して初回の処方箋５１提出時のみであり、２回目以降は入力されない。
【００４２】
入力履歴情報記憶部２５３は、服用スケジュール情報記憶部２５１および配信先情報記憶部２５２に記憶されている情報に基づいて生成された入力履歴情報（、過去に入力された医薬品情報）を患者別に分類して不揮発に記憶するものである。図５に示すように、入力履歴情報記憶部２５３は、患者コード別にファイルを記憶しており、当該ファイルには、入力された医薬品毎に管理上の目的で付与される「管理コード」、「医薬品名」、「用法・用量」並びに「服用期間」に関する情報が記録されている。これらの情報は、服用スケジュール情報記憶部２５１に記憶されている服用スケジュール情報（処方薬情報）を、患者別且つ医薬品別に仕訳し、順次管理コードを付与することで生成されている。なお、「医薬品名」に代えて「医薬品コード」を記憶しても良いし、「用法・用量」並びに「服用期間」に代えて、それらを意味するコードを記憶しても良い。なお、以下の説明では、「医薬品名」または「医薬品コード」に関する情報を「所定情報」、「用法・用量」および「服用期間」に関する情報、すなわち医薬品を服用すべき服用指定日時に関する情報を「服用指定情報」と称するものとする。
【００４３】
認証データ記憶部２５４は、携帯電話３０が、情報配信装置２０から電子メールを受信した際に認証（セキュリティチェック）を行うための認証コードを記憶するものである。当該認証コードは、複数桁の英数字から成るユニークな値であり、服薬管理アプリケーション２５のインストールの際に記憶されるものである。なお、認証コードとしては、ＥＴＨＥＲＮＥＴ（登録商標）カードに割り振られているＭＡＣ（登録商標）アドレスや、ＷＩＮＤＯＷＳ（登録商標）で用いられているオブジェクトのクラスＩＤを指すＧＵＩＤ（Global Unique Identifier：グローバル一意識別子）を用いることができる。また、服薬管理アプリケーション２５をインストールした日付および時間（年月日時分秒）を用いても良いし、日付および時間と、情報配信装置２０のユニークな識別子とを組み合わせた情報を用いても良い。
【００４４】
電子メール送信データ生成手段２５５は、服用スケジュール情報生成手段２６１および更新情報生成手段２６２を有し、患者コード別に、電子メール送信データに含めるべき各種情報を生成する。図６に示すように、電子メール送信データには、「服用スケジュール情報（処方薬情報および付加情報など）」および／または「更新情報」の他、「配信先情報（携帯電話３０のＥ−ｍａｉｌアドレス）」、「認証情報（認証コード）」が含まれている。これらのうち、「配信先情報」は配信先情報記憶部２５２から患者コードを索引として読み出す。また、「認証情報」は認証データ記憶部２５４から読み出す。
【００４５】
服用スケジュール情報生成手段２６１および更新情報生成手段２６２は、上記の入力履歴情報記憶部２５３に記憶されているファイルの内容に基づいて各情報を生成する。例えば、図５に示すように、管理コード「101003」は、それより以前に入力されている管理コード「101001」と、「医薬品名」および「用法・用量」が一致し、「服用期間」だけが異なっている。慢性の病気を抱えている患者であれば、繰り返し同内容の処方が行われることも多いが、このように過去の処方と「服用期間」だけが異なる処方が新規入力された場合、更新情報生成手段２６２が、管理コード「101003」について、管理コード「101001」を引用する「更新情報」を生成する。また、過去に同内容の処方が入力されていない場合、すなわち管理コード「101001」，「101002」については、服用スケジュール情報生成手段２６１が「服用スケジュール情報」を生成する。
【００４６】
また、服用スケジュール情報生成手段２６１は、図６に示すように、「服用スケジュール情報」として、「処方薬情報」および「付加情報」を生成する。このうち、「処方薬情報」は、図５に示す管理コード「101001」，「101002」の所定情報および服用指定情報に基づいて生成する。また、「付加情報」は、これらの所定情報に基づき、医薬品マスタＭ１を参照することによって生成する。
【００４７】
医薬品マスタＭ１は、上記の「付加情報」として、医薬品別に、医薬品を服用する際の注意事項などを含む詳細情報を所定のＷｅｂサイトから取得するためのＵＲＬ、医薬品の形態を示す画像データ（静止画データ，イラスト等も含む）、医薬品の服用方法を示す動画データを記憶している。したがって、「付加情報」は、生成対象となる管理コード「101001」，「101002」の所定情報を索引として、医薬品マスタＭ１から該当する情報を読み出すことで生成される。
【００４８】
一方、更新情報生成手段２６２は、図６に示すように、「管理コード」、「引用コード」および「更新服用期間」に関する情報のみを生成する。すなわち、服用スケジュール情報生成手段２６１のように、「処方薬情報」（「管理コード」、「医薬品名」（所定情報）、「用法・用量」および「服用期間」（服用指定情報））並びに「付加情報」を生成することなく、簡易な情報のみで良いため、同内容の処方が繰り返し行われる場合、データ生成並びに送信に要する制御を簡素化することができる。
【００４９】
なお、これら「服用スケジュール情報」および「更新情報」は、携帯電話３０のスケジューラ３８（図８参照）に登録可能な形式（プロトコル、フォーマット）に従って各項目（各情報）がコード化された情報であり、携帯電話３０ではこのコード化された情報を解析して、「服用スケジュール情報」および「更新情報」をスケジューラ３８に取り込むこととなる。このため、携帯電話３０によって、スケジューラ３８への登録形式が異なる場合は、配信申込書５２（図３参照）に、携帯電話３０のメーカ名や機種名等の機種情報を記載するようにし、それらの機種情報に応じて、適切な形式の服用スケジュール情報および更新情報を生成することが好ましい。
【００５０】
また、「付加情報」についても、配信申込書５２に患者の希望を記載するようにし、その内容に応じて、送信する／送信しないを設定できるようにしても良い。このとき「送信しない」に設定された場合、携帯電話３０で付加情報（Ｗｅｂサイトから取得した詳細情報、画像データおよび動画データ）を参照することはできない。また、同じく患者の希望に応じて、「更新情報」にも「付加情報」を付加するようにしても良い。この構成によれば、服用期間が更新された医薬品についても、携帯電話３０で付加情報を参照することができる。
【００５１】
ここで、図７のフローチャートを参照し、上記の構成による情報配信装置２０（制御手段２５０）の情報入力処理および電子メール配信処理について説明する。同図に示すように、情報配信装置２０は、入力デバイス２１により処方箋５１の内容（服用スケジュール情報）が入力されると（Ｓ０１）、これを服用スケジュール情報記憶部２５１に記憶する（Ｓ０２）。また、同じく入力デバイス２１により配信申込書５２の内容（配信先情報）が入力されると（Ｓ０３：Ｙｅｓ）、これを配信先情報記憶部２５２に記憶する（Ｓ０４）。そして、これら服用スケジュール情報記憶部２５１および配信先情報記憶部２５２に記憶されている情報に基づいて、患者別の入力履歴情報（過去に処方された医薬品一覧，図５参照）を生成し、これを入力履歴情報記憶部２５３に記憶する（Ｓ０６）。
【００５２】
なお、配信先情報が入力されない場合（Ｓ０３：Ｎｏ）、すなわち既に配信申込みを行っている患者の処方の場合は、患者氏名等に基づいて配信先情報記憶部２５２を参照し（Ｓ０７）、患者コードを読み出して入力履歴情報を生成する（Ｓ０５）。なお、患者コードも含めて服用スケジュール情報が入力された場合（処方箋５１に患者コードが記載されている場合）は、当該ステップ（Ｓ０７）の実行を省略する。
【００５３】
そして、情報配信装置２０は、その日の受付時間が終了すると（Ｓ０８：Ｙｅｓ）、電子メール送信データ生成手段２５５により、その日入力された入力履歴情報に基づいて電子メール送信データを生成し（Ｓ０９）、配信先情報に基づく配信先（携帯電話３０）に電子メールを送信する（Ｓ１０）。電子メールの送信は、原則１回であるが、何らかの原因により送信できなかった場合や、携帯電話３０からの要求があった場合は繰り返し送信を行う。電子メールの送信が完了すると、電子メール送信データを、その送信履歴と共に図示しないデータベースに保存する（Ｓ１１）。
【００５４】
次に、図８を参照し、携帯電話３０の制御構成について説明する。同図に示すように、携帯電話３０は、表示画面（表示部）３１、テンキーや各種機能キーから成る入力キー（入力手段）３２、中継局との電波の送受信を行うアンテナ３３の他、スピーカ、ＬＥＤ、バイブレータ等から成る報知部３４を備えている。また、携帯電話３０は、携帯電話用の服薬管理アプリケーション３５、電子メールアプリケーション（電子メール受信手段）３６、Ｗｅｂブラウザアプリケーション３７およびスケジューラ３８がインストールされている。
【００５５】
服薬管理アプリケーション３５は、表示制御手段３５１、認証手段３５２、時刻設定手段３５３、調整時間設定手段３５４、スケジューラ登録手段３５５、解析用マスタＭ２、データ記憶部３５６、情報取得手段３５７、報知制御手段３５８、処方歴記憶部３５９、服用履歴記憶部３６０、並びにこれらを統括制御する制御手段３５０を有している。
【００５６】
表示制御手段３５１は、表示画面３１への各種情報（服薬カレンダー：図１参照など）の表示を制御する。また、後述する報知制御手段３５８による報知制御（スピーカによるアラーム報知、ＬＥＤの点灯、バイブレータの振動など）に連動して、服薬を促すためのメッセージを表示画面３１上に表示する。図９は、表示制御手段３５１が、スケジューラ３８に登録された服用指定日時に表示する服薬通知画面Ｄを示したものであり、同図に示す内容は、入力キー３２の一つであるスクロールキーの押下によって、その全てが表示できるようになっている。
【００５７】
当該服薬通知画面Ｄでは、まず、配送先となる携帯電話３０の保有者（患者）の氏名、医薬品の服用時間である旨、並びにその用法・用量を表示する（Ｄ１）。また、注意事項欄（Ｄ２）には、その欄名の隣に記載されたリンク文字列（Ｗｅｂサイト接続）が、入力キー３２の操作によって指定（選択）されたときに、後述する情報取得手段３５６によりＷｅｂサイトから取得した詳細情報（注意事項）を表示する。また、イメージ画像欄（Ｄ３）には、その欄名の隣に記載された（画像表示）が指定されたときに、医薬品の形態をイメージ表示する。さらに服用方法欄（Ｄ４）には、その欄名の隣に記載されたリンク文字列（動画スタート）が指定されたときに、医薬品の服用方法を、動画で表示する。なお、注意事項欄（Ｄ２）、イメージ画像欄（Ｄ３）および服用方法欄（Ｄ４）は、表示指定が為されない場合、その欄自体も表示されない（すなわち、図示の例は、全ての欄の表示指定が為された場合を示している）。
【００５８】
また、各欄への表示は、患者の指定に依らず、報知部３４による報知と連動して、自動的に行うようにしても良い。また、折りたたみ式の携帯電話３０の場合には、携帯電話３０を開く操作をトリガとして、Ｗｅｂサイトへの接続や画像の表示を開始するようにしても良い。
【００５９】
また、同画面Ｄには、服薬の実施の有無に関する質問が含まれており、所定のキー操作（数字キー「１」、「２」、「３」の押下など、１回のキー操作で終了できることが好ましい）により、服薬結果を入力できるようになっている（Ｄ５）。なお、「１．はい、飲みました」または「３．飲みません」が入力された場合は、その入力結果が、後述する服用履歴記憶部３６０に格納される。また、「２．後で飲みます」が入力された場合は、所定時間経過後（例えば１０分後）、再度同画面Ｄを表示する。
【００６０】
認証手段３５２は、認証データ記憶部３６１を有しており、当該認証データ記憶部３６１には、電子メールの受信を許可する対象となる認証コードが記憶されている。例えば、携帯電話３０の保有者である患者は、Ａ薬局（図１参照）からの服用スケジュール情報の配信を希望する場合、予めＡ薬局の（情報配信装置２０ａに付与されている）認証コードを、携帯電話３０に登録しておく。すなわち認証手段３５２は、受信した電子メールに含まれる認証コードと、認証データ記憶部３６１に記憶している認証コードとが一致する場合に、その電子メールは真正である（認証を許可できる）と判断する。
【００６１】
なお、認証手段３５２では、受信した電子メールが真正であるか否かを認証するのではなく、服用スケジュール情報をスケジューラ３８に登録するか否かを認証するようにしても良い。すなわち、送信された電子メールは全て受信し、認証を許可しない場合、スケジューラ３８への登録を禁止（中止）するようにしても良い。
【００６２】
また、患者が、認証コードの登録を忘れることも考えられるため、認証を許可しなかった場合は、その旨を表示画面３１上に表示し、認証コードの入力を促すことが好ましい。また、情報配信装置２０側においても、この認証手段３５２による認証が許可されなかったために電子メールを送信できなかった場合、認証コードの登録を促す電子メールを自動的に配信することが好ましい。
【００６３】
また、認証データ記憶部３６１に認証コードが登録されていない場合は、携帯電話３０の表示画面３１上に「○○薬局から服用スケジュール情報（電子メール）が配信されています。許可しますか？」という表示を行い、ユーザがこれを許可したときには、その電子メールを受信するといった構成でも良い。
【００６４】
時刻設定手段３５３は、患者が、自分の生活リズムの時刻を設定し、その設定値を時刻設定記憶部３６３に不揮発に記憶するものである。一般に、医薬品は、「食前」、「食後」、「就寝前」といったように食事や就寝の前後を基準として服用するように処方されるが（図２参照）、携帯電話３０には、この「食前」、「食後」、「就寝前」といった服用時期の具体的な時間を設定可能となっている。また、図１０に示すように、平日と休日では、生活リズムが異なる場合が多いため、平日用と、休日用に分けて時間設定ができ、この設定値を予め時刻設定記憶部３６３に記憶しておくことによって、個々の患者の生活リズムにあったタイミングで、服薬を促すための報知を行うことが可能となる。なお、患者により特に設定が為されない場合、当該時刻設定記憶部３６３に記憶されているデフォルトの設定値に従って報知が行われることとなる。
【００６５】
調整時間設定手段３５４は、服用指定情報によって指定される服用指定日時と実際に報知を行わせる時間との差である調整時間を設定し、その設定値を調整時間設定記憶部３６４に不揮発に記憶するものである。図１０に示すように、例えば、平日の朝食前の設定時刻がＡＭ７：００の場合（デフォルトで、ＡＭ７：００に設定されている場合も含む）であって、その時間の１０分前（−１０ｍｉｎ）に報知させるように調整時間を設定した場合は、ＡＭ６：５０に報知されることとなる。なお、本実施形態では、「朝食前」、「朝食後」など服用時期毎に調整時間を設定できるようになっているが、一律に調整時間を設定可能としても良い。
【００６６】
スケジューラ登録手段３５５は、服用スケジュール情報を解析する服用スケジュール情報解析手段３６５と、更新情報を解析する更新情報解析手段３６６と、これらの解析結果に基づいて登録データを生成する登録データ生成手段３６７と、を有している。服用スケジュール情報解析手段３６５および更新情報解析手段３６６は、解析用マスタＭ２を参照して、電子メール送信データに含まれる服用スケジュール情報（処方薬情報）および更新情報（図６参照）の解析を行う。解析用マスタＭ２には、医薬品名、用法・用量、服用期間などを解析するためのコードと、その意味のマッピングデータ（例えば、文字列“RXO”は「処方薬情報」を示し、文字列“TID”は「１日３回」を示すなど）が格納されている。
【００６７】
登録データ生成手段３６７は、服用スケジュール情報解析手段３６５による解析結果、並びに時刻設定手段３５３および調整時間設定手段３５４によって設定された時間に基づいて、スケジューラ３８に登録するための登録データを生成する。生成した登録データ（入力履歴情報（図５参照）に相当する情報）は、データ記憶部３５６に記憶しておくと共に、スケジューラ３８に登録される。また、解析結果から、医薬品毎に付加されている付加情報（詳細情報ＵＲＬ、画像データ、動画データ，図６参照）も抽出し、当該付加情報も登録データの一部として、データ記憶部３５６に記憶させる。なお、スケジューラ３８が、登録データを保存しておく機能を有している場合は、データ記憶部３５８への記憶を省略しても良い。
【００６８】
また、登録データ生成手段３６７は、更新情報解析手段３６６による解析結果に基づいて、スケジューラ３８を更新するための登録データを生成する。具体的には、解析の結果得られた「引用コード：101001」（図６参照）を索引として、データ記憶部３５７を参照し、その「引用コード」の処方内容（管理コード「101001」の医薬品名や用法・用量など）を取得する。そして、この処方内容と、更新情報に含まれる更新服用期間とに基づいて、登録データ（図５に示す管理コード「101003」の入力履歴情報）を生成する。生成した登録データは、上記の服用スケジュール情報と同様に、データ記憶部３５６に記憶させると共に、スケジューラ３８に登録する。
【００６９】
データ記憶部３５６は、上記のとおり、服用スケジュール情報解析手段３６５および更新情報解析手段３６６の解析結果に基づいて生成された登録データを記憶する。したがって、情報配信装置２０から携帯電話３０に確実に情報配信が行われている場合、情報配信装置２０の入力履歴情報記憶部（図５参照）と、データ記憶部３５６とは、格納タイミングのずれは生じるものの同じ情報が格納されていることとなり、整合性が保たれる。但し、データ記憶部３５６には、入力履歴情報記憶部に記憶されている「食前」、「食後」などの服用時期以外に、時刻設定手段３５３および調整時間設定手段３５４によって設定された時間に基づく、実際の報知時間も記憶される。
【００７０】
また、データ記憶部３５６は、服用スケジュール情報解析手段３６５の解析結果に含まれる付加情報も記憶しており、スケジューラ３８と連動し、服用スケジュール情報（医薬品の服用指定日時）に合わせてこれらの付加情報を表示画面３１上に表示できるようになっている。但し、付加情報については、記憶容量の不足を防止するため、服用期間経過後は消去される。
【００７１】
情報取得手段３５７は、服用スケジュール情報に含まれる詳細情報ＵＲＬに基づき、Ｗｅｂブラウザアプリケーション３７に対してブラウズ要求することにより、所定のＷｅｂサイトから公衆回線を介して医薬品に関する詳細情報を取得する。詳細情報としては、医薬品の服用の際の注意事項（副作用、相互作用（飲み合わせ）、薬理作用等）、医薬品の包装コード、効能、一般名、規格、製造メーカ等に関する情報を取得する。
【００７２】
報知制御手段３５８は、スケジューラ登録手段３５５によって登録データが登録されたスケジューラ３８と協働し、医薬品の服用を促すための報知を行うように、報知部３４（スピーカ，ＬＥＤ，バイブレータ等）を制御する。
【００７３】
処方歴記憶部３５９は、データ記憶部３５６に記憶されている情報を表示用に変換した処方歴を不揮発に記憶するものであり、図１１に示すように、「処方日」、「医薬品名」、「用法・用量」、「服用期間または回数」に関する情報を記憶する。また、当該処方歴記憶部３５９に記憶されている情報は、所定のキー操作により読み出して表示画面３１に表示可能となっている。すなわち、携帯電話３０を「お薬手帳」の代用として利用することができるようになっている。
【００７４】
なお、同図の最下行に示す「Ｄ錠」のように、「とんぷく」の医薬品に関しては、服薬時間の報知は不可能であるため、患者は、当該処方歴記憶部３５９を参照することでしか処方を確認することができない。したがって、「とんぷく」の医薬品が処方された場合は、同日に処方されたその他の医薬品（Ｃ錠）の服薬時間の報知時（図９に示すメッセージ表示時）に、「痛み（または発熱）がある場合は、Ｄ錠（１回１錠）を服用して下さい。」といったようなメッセージを追記することが好ましい。
【００７５】
服用履歴記憶部３６０は、実際に服薬したか否かの履歴、すなわち服用履歴を不揮発に記憶するものであり、図１２に示すように、「（服用した）日付」、「服用時期」、「医薬品名」、「服薬実施の有無」に関する情報を記憶する。この服薬実施の有無に関する情報（「○」または「×」）は、図９に示す服薬を促すメッセージ（服薬通知画面Ｄ）への入力結果（数字キーの「１」または「３」）を表している。また、当該服用履歴記憶部３６０に記憶されている情報も、所定のキー操作により読み出して表示画面３１に表示可能となっている。これにより、服用履歴をわざわざ記録用紙等に記録しなくとも、服薬時間の報知に対する簡単なキー操作だけで、服用履歴を記録・管理することができる。
【００７６】
ここで、図１３および図１４のフローチャートを参照し、上記の構成による携帯電話３０（制御手段３５０）の電子メール受信処理および服用報知処理について説明する。図１３は、電子メール受信処理を示すフローチャート、図１４は、服用報知処理を示すフローチャートである。
【００７７】
図１３に示すように、携帯電話３０（制御手段３５０）は、情報配信装置２０から電子メールを受信すると（Ｓ２１）、認証手段３５２により認証を行う（Ｓ２２）。そして、その電子メールが真正であると判定した場合、スケジューラ登録手段３５５により電子メールに含まれる服用スケジュール情報および更新情報を解析し（Ｓ２３）、さらにその解析結果に基づいて、登録データ（服薬管理に必要な各種情報（所定情報，服用指定情報，付加情報等）を含む）を生成する（Ｓ２４）。生成した登録データは、スケジューラ３８に登録すると共にデータ記憶部３５６に格納する（Ｓ２５）。さらに、このデータ記憶部３５６に格納したデータに基づいて処方歴を生成し（Ｓ２６）、処方歴記憶部３５９に格納する（Ｓ２７）。
【００７８】
続いて、図１４を参照し、服用報知処理について説明する。携帯電話３０（制御手段３５０）は、服用指定日時になると（Ｓ３１：Ｙｅｓ）、スケジューラ３８と協働して、報知制御手段３５８により音声またはバイブレータ等で服薬を促すための報知を行うと共に、表示制御手段３５１により表示画面３１上に図９に示す服薬通知画面Ｄを表示する（Ｓ３２）。この服薬通知画面Ｄを表示した状態で、患者による入力キー３２の操作により詳細情報の取得指示が為された場合（リンク文字列（Ｗｅｂサイト接続）が指定された場合）は（Ｓ３３：Ｙｅｓ）、表示画面３１上に「注意事項」を表示するため、データ記憶部３５６に記憶されている付加情報（詳細情報ＵＲＬ）を読み出し、情報取得手段３５７により、Ｗｅｂサイトから詳細情報を取得して、服薬通知画面Ｄ上に表示する（Ｓ３４）。また、患者の操作により画像データおよび／または動画データの表示指示が為された場合（リンク文字列（画像表示）および／または（動画スタート）が指定された場合）は（Ｓ３５：Ｙｅｓ）、データ記憶部３５６に記憶されている付加情報（画像データおよび／または動画データ）を読み出し、服薬通知画面Ｄ上にイメージ画像や服用方法を表示する（Ｓ３６）。
【００７９】
さらに、当該服薬通知画面Ｄに含まれる服用実施の有無に関する質問への回答が入力された場合（Ｓ３７：Ｙｅｓ）、その入力結果を、服用履歴記憶部３６０に記憶し（Ｓ３８）、処理を終了する。
【００８０】
以上、説明したとおり、本実施形態によれば、情報配信装置２０は、医薬品の所定期間における服用指定日時に関する服用スケジュール情報を、電子メールを用いて携帯電話３０に配信し、当該携帯電話３０は、受信した服用スケジュール情報の解析結果をスケジューラ３８に登録するため、一度登録するだけで、スケジューラ３８により、数日間（例えば、１回の処方による服用期間）の服薬管理を行うことができる。したがって、患者が常に電子メール受信可能な場所にいなくとも、携帯電話３０を携行している限り、確実に医薬品の服用時期を通知することができると共に、１回だけの配信で良いため配信処理および受信処理の負担を少なくすることができる。また、複数の医療機関または調剤薬局にそれぞれ情報配信装置２０を設置することで、複数の医療機関または調剤薬局から処方を受ける場合であっても、携帯電話３０側で一元管理することができる。さらに、情報配信装置２０は、電子メール機能を搭載するだけの構成で良いため、一般的なパーソナルコンピュータを用いることができ、本システム１０を安価に構築することができる。
【００８１】
また、スケジューラ３８と協働して報知制御手段３５８（スピーカ，ＬＥＤ，バイブレータ等）により、服用日程および服用時間に該当する日時に、患者に対して医薬品の服用を促すための報知を行うため、患者は当該報知があったときに服薬することで、飲み忘れを防止することができる。
【００８２】
また、報知制御手段３５８による報知と連動して、医薬品の形態を示す画像データおよび／または医薬品の服用方法を示す動画データを表示画面３１（服薬通知画面Ｄ）に表示するため、患者は当該画像データおよび／または動画データにより、処方された医薬品を間違えることなく、且つ正しく服用することができる。さらに、服薬通知画面Ｄ上には、Ｗｅｂサイトから医薬品を服用する際の注意事項を含む詳細情報を表示するため、患者はその注意事項を確認した上で、服用することができる。
【００８３】
また、服薬通知画面Ｄに対する所定のキー操作により、服薬実施の有無に関する情報を入力し、当該入力履歴を服用履歴として携帯電話３０内の服用履歴記憶部３６０に記憶しておくことができるため、これを表示画面３１に表示させることで、服用スケジュールだけでなく、服用履歴についても管理することができる。
【００８４】
また、認証手段３５２により電子メールが真正と判定された場合に、スケジューラ３８へ登録データの登録を行うため、不正な服用スケジュール情報を含む電子メールの受信により不正な情報が登録されることを防止することができる。
【００８５】
また、情報配信装置２０は、入力された服用スケジュール情報（処方薬情報）を、医薬品毎に配信先情報と関連づけて記憶しておき（入力情報記憶部２５３）、後日入力された情報が、記憶しておいた情報に対して服用期間のみ異なるものであった場合、すなわち、同じ内容の処方箋５１が、同一の患者に対して処方された場合、その医薬品の服用期間の更新（服用期間の延長など）を行うための更新情報を電子メール送信データに含めて携帯電話３０に送信すればよいため、情報配信装置２０が送信する情報量並びにその送信負荷を軽減することができる。また、携帯電話３０側も、入力情報記憶部２５３に相当するデータベース（データ記憶部３５６）を有しているため、更新情報の解析結果に基づいてデータ記憶部３５６を参照することで、医薬品の服用期間を更新することができる。
【００８６】
また、情報配信装置２０は、同一の配信先情報に対し複数の処方箋５１の内容が入力されている場合、その服用スケジュール情報を纏めて配信するため、配信回数を少なくすることができる。したがって、電子メールの送信および／または受信に要する料金（通信費やパケット料金など）を節約することができる。
【００８７】
また、携帯電話３０は、時刻設定手段３５３により、食事前、就寝前といった患者の生活リズムの時刻を設定することができるため、報知制御手段３５８により、患者の生活リズムに合わせて報知を行うことができる。
【００８８】
また、携帯電話３０は、調整時間設定手段３５４により、服用指定日時に対する調整時間を設定することができるため、報知制御手段３５８により、患者の好みやニーズに合わせて報知を行うことができる。
【００８９】
なお、上記の例では、一日分の服用スケジュール情報を纏めて配信するものとしたが、複数日分を纏めて配信するようにしても良い。また、複数の服用スケジュール情報を纏めて送信するか否か、並びに纏めて配信する場合はその日数を、患者の希望に合わせて設定し、その設定値に基づいて配信を行うようにしても良い。なお、当該患者の希望は、配信申込書５２に記載してもらうことが好ましい。
【００９０】
また、配信する電子メールは、患者一人分とは限らず、例えば１家族分を纏めて送信するようにしても良い。この構成によれば、情報配信装置２０による配信回数を少なくすることができると共に、子供の場合など携帯電話３０を保有しない患者に対しても、服薬管理サービスを提供することができる。なお、配信対象となる複数人分の患者情報についても、配信申込書５２に記載してもらうことが好ましい。
【００９１】
また、入力履歴情報記憶部２５３（図５参照）は、医薬品毎に管理コードが付与されるものとしたが、複数の医薬品を混合した粉薬が処方された場合、その粉薬に対して管理コードを付与するようにしても良い。また、粉薬でなくとも、複数の医薬品に対して（用法・用量が異なっていても良い）１つの管理コードを付与し、その全ての医薬品について処方内容が一致する場合は、更新情報を携帯電話３０に配信するようにしても良い。
【００９２】
また、上記の例では、服薬通知画面Ｄに対する所定のキー操作により、服薬実施の有無に関する情報を入力するものとしたが、当該服薬通知画面Ｄの表示を省略した簡易な構成としても良い。また、この場合、報知制御手段３５８による報知制御に対して、所定のキー操作を行うことにより、服薬実施の有無に関する情報を入力することが好ましい。
【００９３】
次に、図１５を参照し、本発明の第２実施形態について説明する。上記の実施形態における服薬管理システム１０は、１以上の情報配信装置２０と、１以上の携帯電話３０と、を構成要素としているが（図１参照）、本実施形態の服薬管理システム１００は、１以上の情報配信装置２０を統括管理する管理サーバ７０をさらに構成要素に加えた点で異なる。そこで、第１実施形態と異なる点を中心に説明する。
【００９４】
本実施形態では、携帯電話３０の保有者（患者）が、予め管理サーバ７０に、図３に示す配信申込書５２に相当する電子データを送信することによって、配信申込を行っておく必要がある。この申込により、携帯電話３０の保有者は、本システム１００内の情報配信装置２０から配信される全ての服用スケジュール情報を取得することができるようになっている。管理サーバ７０は、携帯電話３０から送信されたこれらの配信先情報をデータベース７１内の配信先情報ブロック７１ａに保存しておく（配信先情報記憶部２５２（図４参照）に相当：配信先情報記憶手段）。
【００９５】
情報配信装置２０は、処方箋５１の内容（服用スケジュール情報）が入力されることにより（服用スケジュール情報入力手段）、配信用の服用スケジュール情報（電子メール送信データに含まれる服用スケジュール情報に相当，図６参照）を生成し、患者氏名や患者コードなど、配信先を特定するための情報と共に、通信回線４０を介してこれを管理サーバ７０に配信する（服用スケジュール情報送信手段）。なお、当該配信は、電子メールを用いても良いし、他の通信手段を用いても良い。
【００９６】
管理サーバ７０は、情報配信装置２０から服用スケジュール情報を受信すると（服用スケジュール情報受信手段）、これに含まれる配信先を特定するための情報と、配信先情報ブロック７１ａ内の配信先情報とを照合し、該当する患者の配信先（携帯電話３０のアドレス）に対して、情報配信装置２０から送信された服用スケジュール情報を、電子メールを用いて転送する（転送手段）。携帯電話３０は、電子メールを受信して服用スケジュール情報を解析し、その解析結果をスケジューラ（スケジューラ３８に相当，図８参照）に取り込むことで服薬管理を行う。
【００９７】
なお、携帯電話３０は、処方歴記憶部３５９および服用履歴記憶部３６０に記憶している情報を、必要に応じて管理サーバ７０に転送することができる。また、転送後、これら携帯電話３０の処方歴記憶部３５９および服用履歴記憶部３６０は、初期化される。これにより、記憶容量が不足してしまったり、不慮の事故によりデータを損失してしまうといった不具合を解消することができる。一方、管理サーバ７０は、携帯電話３０から送信された処方歴や服用履歴に関する情報を、データベース７１内の処方歴ブロック７１ｂおよび服用履歴ブロック７１ｃに格納し、携帯電話３０からのアクセス、または図示しないＰＣからのログインによって参照可能とする。
【００９８】
以上、説明したとおり、本実施形態によれば、管理サーバ７０が、携帯電話３０から配信先情報を受信してこれを記憶しておき、情報配信装置２０から送信された服用スケジュール情報を、この配信先情報に基づいて適切な配信先に転送するため、患者は、本システム１００を利用する場合、管理サーバ７０へ申込みデータ（配信先情報）を送信するだけで良く、情報配信装置２０毎（調剤薬局毎）に配信申込を行う手間を省くことができる。また、管理サーバ７０は、携帯電話３０から送信された処方歴や服用履歴に関する情報を、データベース７１内に参照可能に蓄積しておくため、患者は必要に応じて参照することができると共に、携帯電話３０のメモリオーバーにより、これらの情報を書き込みできなくなるといったことがない。
【００９９】
なお、本実施形態においても、管理サーバ７０内に入力履歴情報を記憶しておき（入力履歴情報記憶部２５３に相当，図４参照）、過去の処方と同内容の処方が行われたときは、その医薬品の服用を更新するための更新情報を携帯電話３０に送信することが好ましい。また、電子メールの送信も、１以上の情報配信装置２０から受信したその日一日分を纏めて配信し、配信回数を少なくすることが好ましい。
【０１００】
また、上記の２つの実施形態では、患者の携帯電話３０に、電子メールを配信するものとしたが、携帯電話３０に代えて、ＰＨＳ（Personal Handy-phone System）や、ＰＤＡ（Personal Digital Assistant）など、通信機能付の端末装置に電子メールを配信するようにしても良い。すなわち、電子メール機能およびスケジューラを搭載した端末装置であれば、本発明を適用可能である。
【０１０１】
また、携帯電話３０により医薬品の服用を促すための報知を行うものとしたが、内服薬に限らず、外用薬についても適用可能である。すなわち、本発明の「医薬品の服用」とは、インシュリンの注射（接種）や、外用薬の使用（摂取）など、「医薬品の接種，摂取」を含む概念であり、これらを促す報知を行うことも可能である。
【０１０２】
また、上記の例に示した、情報配信装置２０、携帯電話３０または管理サーバ７０の各部（各機能）、若しくは服薬管理アプリケーション２５，３５をプログラムとして提供することも可能である。また、そのプログラムを記録媒体（図示省略）に格納して提供することも可能である。記録媒体としては、ＣＤ−ＲＯＭ、フラッシュＲＯＭ、メモリカード（コンパクトフラッシュ（登録商標）、スマートメディア、メモリスティック等）、コンパクトディスク、光磁気ディスク、デジタルバーサタイルディスクおよびフレキシブルディスク、ハードディスク等を利用可能である。
【０１０３】
また、上記の２つの実施形態における服薬管理システム１０，１００の例によらず、システム構成や装置構成等について、本発明の要旨を逸脱しない範囲で、適宜変更も可能である。
【図面の簡単な説明】
【０１０４】
【図１】第１実施形態に係る服薬管理システムのシステム構成図である。
【図２】処方箋の一例を示す図である。
【図３】配信申込書の一例を示す図である。
【図４】情報配信装置の制御構成を示すブロック図である。
【図５】入力履歴情報記憶部の説明図である。
【図６】電子メール送信データの説明図である。
【図７】情報配信装置の情報入力処理および電子メール配信処理を示すフローチャートである。
【図８】携帯電話の制御構成を示すブロック図である。
【図９】服薬通知画面の一例を示す図である。
【図１０】時刻設定記憶部および調整時間設定記憶部の説明図である。
【図１１】処方歴記憶部の説明図である。
【図１２】服用履歴記憶部の説明図である。
【図１３】携帯電話の電子メール受信処理を示すフローチャートである。
【図１４】携帯電話の服用報知処理を示すフローチャートである。
【図１５】第２実施形態に係る服薬管理システムのシステム構成図である。
【符号の説明】
【０１０５】
１０：服薬管理システム（第１実施形態），２０：情報配信装置，２６：服薬管理アプリケーション（情報配信装置用），３０：携帯電話，３１：表示画面，３５：服薬管理アプリケーション（携帯電話用），５１：処方箋，５２：配信申込書，１００：服薬管理システム（第２実施形態），２５０：制御手段，２５１：服用スケジュール情報記憶部，２５２：配信先情報記憶部，２５３：入力履歴情報記憶部，２５４：認証データ記憶部，２５５：電子メール送信データ生成手段，３５０：制御手段３５０，２５１：表示制御手段，３５２：認証手段３５２，３５３：時刻設定手段，３５４：調整時間設定手段，３５５：スケジューラ登録手段，３５６：データ記憶部，３５７：情報取得手段，３５８：報知制御手段，３５９：処方歴記憶部，３６０：服用履歴記憶部３６０，Ｍ１：医薬品マスタ，Ｍ２：解析マスタ
【図１】
2007026253.tif 000003
【図２】
2007026253.tif 000004
【図３】
2007026253.tif 000005
【図４】
2007026253.tif 000006
【図５】
2007026253.tif 000007
【図６】
2007026253.tif 000008
【図７】
2007026253.tif 000009
【図８】
2007026253.tif 000010
【図９】
2007026253.tif 000011
【図１０】
2007026253.tif 000012
【図１１】
2007026253.tif 000013
【図１２】
2007026253.tif 000014
【図１３】
2007026253.tif 000015
【図１４】
2007026253.tif 000016
【図１５】
2007026253.tif 000017